(57)【要約】【課題】  ファイルのバックアップに対するファイル管理を容易にする。【解決手段】  デジタルカメラ１０が接続されると、コンピュータ１２は、カメラ１０のＩＤ、カメラ１０のメモリデバイスの固有ＩＤ及びファイル名付与の記録方式をカメラ１０に問い合わせる。カメラ１０からファイルを受信すると、ファイル名変換の必要性を判定する。ファイル名を変換する場合、ファイルの属性情報とカメラ１０のＩＤから新ファイル名を決定し、旧ファイル名、新ファイル名及びカメラ１０のＩＤ等をＨＤＤ２１のＩＤテーブルに追記する。コンピュータ１２からカメラ１０への転送で送信ファイルがＩＤテーブルに記録されている場合、カメラ１０内に同名のファイルが無い場合、及び、同名のファイルが存在してもファイルの中身が同じ場合、ＩＤテーブルに記されている旧ファイル名にファイル名を変更してカメラ１０に転送する。【選択図】  図１
2005258613.tif 000002
【特許請求の範囲】
【請求項１】
データファイルが記録されている第１の記録メディアと、第２の記録メディアとの間で前記データファイルの転送を行うシステムであって、
前記第１及び第２の記録メディア間でデータファイルを転送可能な転送手段と、
前記第１及び第２の記録メディアに記録されるデータファイルの属性情報を認識する認識手段と、
前記第１及び第２の記録メディア間で転送するデータファイルのファイル名を変更するファイル名変換手段と、
前記転送手段による前記第１の記録メディアから第２の記録メディアへのデータファイルの転送に伴い前記ファイル名変換手段により変更される前のファイル名及び変更された後のファイル名と、前記認識手段によって取得される属性情報とを関連付ける関連付け手段
とを具備し、
前記ファイル名変換手段は、前記第１の記録メディアから第２の記録メディアに転送したデータファイルを再び前記第２のメディアに転送する場合に、前記関連付け手段による関係付け結果をもとに前記データファイルのファイル名を再変換することを特徴とする記録システム。
【請求項２】
前記転送手段が、前記第１の記録メディアを収容する装置と、前記第２の記録メディアを収容する装置との間でデータを通信する通信手段を具備することを特徴とする記録システム。
【請求項３】
前記第１の記録メディアを収容する装置がデジタルカメラであり、前記第２の記録メディアを収容する装置がコンピュータであることを特徴とする請求項２に記載の記録システム。
【請求項４】
前記属性情報は、データファイルのファイル名、記録日時情報、並びに、記録位置及びメディアＩＤ等の所在情報の何れかであることを特徴とする請求項１に記載の記録システム。
【請求項５】
前記関連付け手段による関係付けを示す情報は、前記第１及び第２の記録メディアの少なくとも一方に記録されることを特徴とする請求項１に記載の記録システム。
【請求項６】
前記関連付け手段は、前記認識手段によって得られたデータファイルを関連付ける表を作成する手段であることを特徴とする請求項１に記載の記録システム。
【請求項７】
前記関連付け手段は、前記第１の記録メディアから第２の記録メディアに転送後に前記第２のメディアに記録されたデータファイルのファイル名に変更があった場合、その変更後のファイル名を更に前記属性情報に関連付けることを特徴とする請求項１に記載の記録システム。
【請求項８】
前記ファイル名変換手段は、前記関連付け手段によって関連付けられた情報に基づいて、前記第１の記録メディアに記録されているデータファイルのファイル名付与フォーマットに則したファイル名と、前記認識手段により取得した属性情報を用いて生成するファイル名との相互変換方法に従いファイル名を変換することを特徴とする請求項１に記載の記録システム。
【請求項９】
前記ファイル名付与フォーマットはＤＣＦ（Ｄｅｓｉｇｎ  ｒｕｌｅ  ｆｏｒ  Ｃａｍｅｒａ  Ｆｉｌｅｓｙｓｔｅｍ）であることを特徴とする請求項８に記載の記録システム。
【請求項１０】
前記関連付け手段は、前記第１及び第２の記録メディア間で逆方向に再転送された後、第１又は第２の記録メディアから消去されたデータファイルの関連付け情報を削除することを特徴とする請求項１に記載の記録システム。
【請求項１１】
所定の規則に従いデータファイルのファイル名を決定し、第１の記録媒体に対して前記データファイルを記録再生する第１の装置と、第２の記録媒体に対してデータファイルを記録再生する第２の装置の間で前記データファイルを転送するシステムであって、
前記第２の装置は、前記第１の装置から第２の装置に対する前記データファイルの転送に伴って前記データファイルのファイル名を変更し、変更前のファイル名及び変更後のファイル名と前記第１の装置に関連した属性情報とを対応付けた対応付け情報を生成して保存すると共に、前記第１の装置から第２の装置に転送したデータファイルを再び前記第１の装置に転送する際、前記対応付け情報に従って前記データファイルのファイル名を変更して前記１の装置に転送することを特徴とするデータ処理システム。
【請求項１２】
前記第２の装置は、前記所定の規則とは無関係に前記第２の記録媒体に記録するデータファイルのファイル名を決定することを特徴とする請求項１１に記載のデータ処理システム。
【請求項１３】
前記第２の装置は、前記属性情報を用いて前記変更後のファイル名を決定することを特徴とする請求項１２に記載のデータ処理システム。
【請求項１４】
前記第２の装置は、前記対応付け情報に基づき、前記第１の装置に再び転送しようとするデータファイルの前記変更前のファイル名と同じファイル名のデータファイルが前記第１の記録媒体に記録されているか否かを判別し、この判別結果に基づいて前記転送しようとするデータファイルのファイル名を変更して前記第１の装置に転送することを特徴とする請求項１１に記載のデータ処理システム。
【請求項１５】
前記第２の装置は、前記再び転送しようとするデータファイルの前記変更前のファイル名と同じファイル名のデータファイルが前記第１の記録媒体に記録されている場合、前記所定の規則に従って決定した他のファイル名に変更して転送することを特徴とする請求項１４に記載のデータ処理システム。
【請求項１６】
前記第２の装置は、前記再び転送しようとするデータファイルの前記変更前のファイル名と同じファイル名のデータファイルが前記第１の記録媒体に記録されていない場合、前記変更前のファイル名に変更して転送することを特徴とする請求項１４に記載のデータ処理システム。
【請求項１７】
所定の規則に従いデータファイルのファイル名を決定し、第１の記録媒体に対して前記データファイルを記録再生する第１の装置と、第２の記録媒体に対してデータファイルを記録再生する第２の装置の間で前記データファイルを転送する方法であって、
前記第１の装置から第２の装置に対する前記データファイルの転送に伴って前記データファイルのファイル名を変更し、変更前のファイル名及び変更後のファイル名と前記第１の装置に関連した属性情報とを対応付けた対応付け情報を生成して保存すると共に、前記第１の装置から第２の装置に転送したデータファイルを再び前記第１の装置に転送する際、前記対応付け情報に従って前記データファイルのファイル名を変更して前記１の装置に転送することを特徴とするデータ処理方法。
【発明の詳細な説明】
【技術分野】
【０００１】
本発明は、音声データファイル、画像データファイル及び動画像データファイル等のファイルを複数の記録媒体間で移動又はコピーする記録システムに関し、より具体的には、デジタルカメラなどの静止画記録再生装置、デジタルビデオカメラなどの動画記録再生装置、及びＩＣボイスレコーダなどに適用され得る記録システム、データ処理システム及びデータ処理方法に関する。
【背景技術】
【０００２】
従来、上記のような情報記録再生装置において、ランダムアクセスメディアなどに静止画、動画及び音声などのデータを記録する場合、所定の規則に従ってファイル名を付け、データファイルとして記録媒体に記録を行っている。現在、静止画記録装置のファイルシステムとしては、Ｄｅｓｉｇｎ  ｒｕｌｅ  ｆｏｒ  Ｃａｍｅｒａ  Ｆｉｌｅｓｙｓｔｅｍ（ＤＣＦ）と呼ばれるシステムが広く使用され、ランダムアクセスメディアに記録するファイル名とファイル保存ディレクトリなどが規定されている。一方で、動画記録装置及び音声記録装置に広く使われる規格はないものの、ほとんどの場合、各記録装置が個別に記録データのファイル名の命名規則を具備し、一般には「ａｂｃ１２３．ｊｐｇ」のように、英字＋数字＋拡張子の形式でファイル名が決定される。数字の部分は、ファイルを一つ追加する度に一つづつ増加する。
【０００３】
記録ファイルが増え、ランダムアクセスメディアの記録容量が不足すると、一般には、データファイルの整理又はバックアップのために、パーソナルコンピュータ、ファイルサーバ、データサーバ又はその他の種々の情報端末にデータファイルを移動又はコピーする。なお、「移動」は元のファイルを削除するが、「コピー」は、元のファイルを残す点が、異なる。
【０００４】
静止画のレタッチ目的など、データの加工処理の目的で、コンピュータなどの情報処理端末にファイルを移動又はコピーすることも考えられるが、ＤＣＦの規格などにより、同一ファイル名が通信先に存在する可能性が高くなってきている。従って、例えば、記録装置からデータサーバにファイルをコピーする場合、移動・コピー先に存在するファイル名を先ず確認し、移動・コピー先に同一ファイル名が存在する場合、新しいフォルダを生成して、同ファイル名で移動又はコピーするか、ファイル名を変更するかしなければならない（例えば、特許文献１，２参照）。
【０００５】
また、上書き確認メッセージとして、同一ファイル名のファイルの存在をユーザに知らせることや、バックアップファイルを自動作成する技術も存在するが、静止画像、動画像及び音声では、ファイル名が同一でもデータの中身が異なることが多いので、このような警告が有効に機能することは少ない。即ち、ユーザ自身が、上書きを避け得るようにファイル名を自ら変更しなければならない。
【特許文献１】特開２００２−０２４０６７公報
【特許文献２】特開２００２−２０７６２１公報
【発明の開示】
【発明が解決しようとする課題】
【０００６】
ＤＣＦの規定に則したファイル名を扱う静止画像記録装置には、静止画撮影機能をもつ携帯電話端末、ＰＤＡ（Personal Digital Assistance）、デジタルカメラ及びデジタルビデオカメラなどがあり、個人で複数機種を持つ場合も多い。その場合、データの中身は異なるがファイル名が同じになる状況も増えている。
【０００７】
一方で、規則に従うファイル名を使うことで、異なる端末でのファイル表示が可能になったり、ファイルの扱いが容易になる。携帯機器など機能の制限が多い小型端末では、ＤＣＦ規則に従うファイル名以外は認識されない場合もある。
【０００８】
このような観点では、パーソナルコンピュータ及びファイルサーバなどでは、ユーザが直接扱い易いファイル名でデータを管理し、ファイル命名規則を有する記録装置においては各記録装置で取り扱うフォーマットのファイル名でデータを扱うことが好ましい。
【０００９】
本発明は、同じデータファイルを異なる環境下で扱う場合に、このようなファイル名の管理を容易にする記録システム、データ処理システム及びデータ処理方法を提示することを目的とする。
【課題を解決するための手段】
【００１０】
上記の目的を達成するために、本発明に係る記録システムは、データファイルが記録されている第１の記録メディアと、第２の記録メディアとの間で前記データファイルの転送を行うシステムであって、前記第１及び第２の記録メディア間でデータファイルを転送可能な転送手段と、前記第１及び第２の記録メディアに記録されるデータファイルの属性情報を認識する認識手段と、前記第１及び第２の記録メディア間で転送するデータファイルのファイル名を変更するファイル名変換手段と、前記転送手段による前記第１の記録メディアから第２の記録メディアへのデータファイルの転送に伴い前記ファイル名変換手段により変更される前のファイル名及び変更された後のファイル名と、前記認識手段によって取得される属性情報とを関連付ける関連付け手段とを具備し、前記ファイル名変換手段は、前記第１の記録メディアから第２の記録メディアに転送したデータファイルを再び前記第２のメディアに転送する場合に、前記関連付け手段による関係付け結果をもとに前記データファイルのファイル名を再変換することを特徴とする。
【００１１】
本発明に係るデータ処理システムは、所定の規則に従いデータファイルのファイル名を決定し、第１の記録媒体に対して前記データファイルを記録再生する第１の装置と、第２の記録媒体に対してデータファイルを記録再生する第２の装置の間で前記データファイルを転送するシステムであって、前記第２の装置は、前記第１の装置から第２の装置に対する前記データファイルの転送に伴って前記データファイルのファイル名を変更し、変更前のファイル名及び変更後のファイル名と前記第１の装置に関連した属性情報とを対応付けた対応付け情報を生成して保存すると共に、前記第１の装置から第２の装置に転送したデータファイルを再び前記第１の装置に転送する際、前記対応付け情報に従って前記データファイルのファイル名を変更して前記１の装置に転送することを特徴とする。
【００１２】
本発明に係るデータ処理方法は、所定の規則に従いデータファイルのファイル名を決定し、第１の記録媒体に対して前記データファイルを記録再生する第１の装置と、第２の記録媒体に対してデータファイルを記録再生する第２の装置の間で前記データファイルを転送する方法であって、前記第１の装置から第２の装置に対する前記データファイルの転送に伴って前記データファイルのファイル名を変更し、変更前のファイル名及び変更後のファイル名と前記第１の装置に関連した属性情報とを対応付けた対応付け情報を生成して保存すると共に、前記第１の装置から第２の装置に転送したデータファイルを再び前記第１の装置に転送する際、前記対応付け情報に従って前記データファイルのファイル名を変更して前記１の装置に転送することを特徴とする。
【発明の効果】
【００１３】
本発明によれば、ＤＣＦの規定に則したファイル名を扱う静止画像記録装置や、携帯型ＩＣボイスレコーダーなどの記録装置で記録した画像、音声又は動画等のデータファイルを、別の記録メディアに移動又はコピーなどの操作を行った場合、これらの各記録装置で生成されるファイルシステムのフォーマットを自動的に保ちながらファイルの上書き防止やファイル名の変更が可能である。また、一度本システムにコピーしたファイルは、各記録装置にファイルを書き戻す際に、各装置で取り扱うフォーマットのファイル名に自動的に変更することができる。これにより、デジタルカメラのプリント指定など各装置特有の機能も引き継ぐことが出来る。
【発明を実施するための最良の形態】
【００１４】
以下、図面を参照して、本発明の実施例を詳細に説明する。
【００１５】
図１は、本発明の一実施例の概略構成ブロック図を示す。デジタルカメラ１０は、有線又は無線の通信媒体１１を介してコンピュータ（ＰＣ）１２と接続する。
【００１６】
デジタルカメラ１０では、撮像装置１３で撮影された画像は、カメラ信号処理回路１４を介して補助記録装置であるＨＤＤ１７に記録される。このとき、画像ファイルには、ＤＣＦの規格に則したファイル名が付けられる。通信装置１８は、有線又は無線により、他の通信装置、ここではＰＣ１２と通信可能である。
【００１７】
コンピュータ１２は、メモリ１９、ＣＰＵ２０、補助記憶としてのハードディスク装置（ＨＤＤ）、及びカメラ１０の通信装置１８と通信可能な通信装置２２を具備する。メモリ１９はＲＯＭ及びＲＡＭからなり、ＲＯＭには、コンピュータ１２を動作させるＣＰＵ２０のためのプログラムが格納されている。メモリ１９は、カメラ１０との間でやりとりされるデータの一時メモリとしても機能する。コンピュータ１２はほかに、ディスプレイなどの表示部並びに、キーボード及びマウス等の操作装置を具備する。
【００１８】
コンピュータ１２は、デジタルカメラ１０との間でファイルを通信すると、ＩＤテーブルを作成し、ＨＤＤ２１に記録する。
【００１９】
図２は、コンピュータ１２が、デジタルカメラ１０からデータファイルを受信するときのフローを示す。
【００２０】
コンピュータ１２にデジタルカメラ１０が接続され、ネゴシエーション等の通信準備が整い、通信可能な状態になると（Ｓ２０１）、コンピュータ１２は、デジタルカメラ１０の固有ＩＤ、デジタルカメラ１０に装着されているＣＦカードなどのメモリデバイスの固有ＩＤ、及びファイル名付与の記録方式をカメラ１０に問い合わせる（Ｓ２０２）。問い合わせの結果、各ＩＤと、デジタルカメラ１０のＤＣＦに則したファイル名とがわかる。
【００２１】
記録媒体のＨＤＤ２１に格納されているＩＤテーブルを参照し、問い合わせて得られた固有ＩＤが存在するか否かを確かめる（Ｓ２０３）。ＩＤテーブルにデジタルカメラＩＤ及びＣＦメモリＩＤが存在すれば（Ｓ２０３）、デジタルカメラ１０からのファイル送信を待つ（Ｓ２０５）。未知のＩＤであれば（Ｓ２０３）、ＩＤテーブルに、未知であったＩＤを追加して認識させ（Ｓ２０４）、デジタルカメラ１０からのファイル送信を待つ（Ｓ２０５）。
【００２２】
デジタルカメラ１０からファイルを受信すると（Ｓ２０５）、ファイル名変換の必要性を判定する（Ｓ２０６）。ファイル名を変換する必要が無い場合（Ｓ２０６）、例えば、送信されてきたファイルのファイル名が、Ｓ２０２で得られた記録方式に従わないファイル名である場合には、ファイル名を変更せずに、そのままＨＤＤ２１に保存する。（Ｓ２０８）。
【００２３】
他方、例えば、ＤＣＦに則したファイル名の電子データが送られてきた場合、同じファイル名の電子データが既にＨＤＤ２１に存在していることも予想されるので、上書きすることのないようにファイル名を変更する。このときには、送信されてきた電子データの作成日時と、ステップＳ２０２で得た固有ＩＤ等とを用いて、新たなファイル名を生成する（Ｓ２０６）。そして、旧ファイル名、新ファイル名、メモリデバイスの固有ＩＤ、デジタルカメラ１０の固有ＩＤ、日時情報及び所在を表すデイレクトリ情報などをＨＤＤ２１のＩＤテーブルに追記する（Ｓ２０７）。新ファイル名で受信ファイルをＨＤＤ２１に記録する（Ｓ２０８）。
【００２４】
受信ファイルをＨＤＤ２１に記録すると（Ｓ２０８）、次のファイル受信を待機する（Ｓ２０５）。
【００２５】
図３は、コンピュータ１２からデジタルカメラ１０にファイルを送信するときのフローを示す。
【００２６】
コンピュータ１２とカメラ１０が接続され、これらの間でネゴシエーション等の通信準備が整い、通信可能な状態になると（Ｓ３０１）、コンピュータ１２は、デジタルカメラ１０の固有ＩＤ、装着されているＣＦカードなどのメモリデバイスの固有ＩＤ、及びファイル名の記録方式をカメラ１０に問い合わせる（Ｓ３０２）。問い合わせの結果、各ＩＤが分かり、ファイル名生成方法がデジタルカメラ１０のＤＣＦに則したものであることがわかる。ファイル名変更の際の新ファイル名は、ＤＣＦに則した形式にすることを決定する（Ｓ３０３）。この後、送信ファイルの決定と送信操作待ち状態となる（Ｓ３０４）。
【００２７】
送信ファイルとしてファイルＡが選択され、送信操作が行われると（Ｓ３０４）、ＨＤＤ２１に格納されているＩＤテーブルを参照して、ファイルＡが存在するか否かを調べる（Ｓ３０５）。存在しない場合（Ｓ３０５）、ファイルＡが送信先のデジタルカメラ１０に対応する形式のファイルであるか否かを確認する（Ｓ３１０）。対応していないファイルの場合（Ｓ３１０）、通信先のデジタルカメラ１０に未対応であることを警告して、そのままのファイル名でファイルＡを送信する（Ｓ３１２）。
【００２８】
ＩＤテーブルにファイルＡが存在する場合（Ｓ３０５）、通信先のデジタルカメラ１０内に、ファイルＡの旧ファイル名と同名のファイルが存在するか否かを確認する（Ｓ３０６）。なお、ステップＳ３０２においてデジタルカメラ１０に記憶される全ファイルのファイル名を取得しておいてもよい。同名のファイルが無い場合（Ｓ３０６）、及び、同名のファイルが存在しても（Ｓ３０６）、ファイルの中身が同じ場合（Ｓ３０７）、ＩＤテーブルに記されている旧ファイル名にファイル名を変更する（Ｓ３０８）。その後、ＩＤテーブルのファイルＡに関する部分に、送信してコピーしたことを履歴情報を付加する形で更新し（Ｓ３１１）、ファイルＡを旧ファイル名で送信する（Ｓ３１２）。
【００２９】
また、ファイルの中身が等しくない場合（Ｓ３０７）と、ファイルＡがデジタルカメラ１０に対応した形式のファイルである場合（Ｓ３１０）、ファイルＡのファイル名を、デジタルカメラ１０のメディア上にない新しい番号を用いて、ＤＣＦに準拠するファイル名に変更する（Ｓ３０９）。その後、ＩＤテーブルのファイルＡに関する部分に、送信してコピーしたことを履歴情報を付加する形で更新し（Ｓ３１１）、ファイルＡを旧ファイル名で送信する（Ｓ３１２）。
【００３０】
図４は、ＩＤテーブルの一例を示す。メディアＩＤごとに表をもち、変更後の新ファイル名を先頭に、このファイルの管理情報と所在情報が記録されている。記録装置ＩＤは、ここでは、デジタルカメラ１０の機種を示しており、他に、ファイル名変更前の旧ファイル名、ファイルの記録日時、及びファイルの存在していたディレクトリ（パス）を持つ。コンピュータ１２でファイル名を変更した場合、ＩＤテーブルの旧ファイル名はそのままで、新ファイル名は書き換えられる。データパス、及び、送信・受信のどちらの状態などの情報を持つことで、ファイルの一致検証など、より詳細なファイル検証ができる。一度受信して再送信した状態で、記録装置からファイルが消去されたときは、そのファイルの項目は、ＩＤテーブルから消去される。また、本実施例では、コンピュータ１２のＨＤＤ２１にＩＤテーブルを作保存したが、カメラ１０のＨＤＤ１７にＩＤテーブルを保存しても良い。
【図面の簡単な説明】
【００３１】
【図１】本発明の一実施例のシステム構成例である。
【図２】受信時のフローチャートである。
【図３】送信時のフローチャートである。
【図４】ＩＤテーブルの一例である。
【符号の説明】
【００３２】
１０：デジタルカメラ
１１：通信ケーブル
１２：コンピュータ（ＰＣ）
１３：撮像装置
１４：カメラ信号処理回路
１５：ＣＰＵ
１６：メモリ
１７：ＨＤＤ
１８：通信装置
１９：メモリ
２０：ＣＰＵ
２１：ＨＤＤ
２２：通信装置
【図１】
2005258613.tif 000003
【図２】
2005258613.tif 000004
【図３】
2005258613.tif 000005
【図４】
2005258613.tif 000006